(57)【特許請求の範囲】
【請求項１】
下水管渠のボックスカルバートの内面にベース鋼材を配置する工程、該ベース鋼材に、前記ボックスカルバートの長手方向の所定間隔毎に、周方向に沿って、その長手方向に凹溝を有するパネル取付け枠鋼材を該凹溝が内方を向くように取り付ける工程、隣接する前記パネル取付け枠鋼材にまたがるように、パネル本体の裏面の両端部に接続部が設けられ、一方の接続部は側方に突出する係止部を有し、他方の接続部は一方の接続部の係止部を係止する係合部を有しているパネルを、前記凹溝内において、隣接するパネルの接続部同士を係止部に係合部に係止させるようにして重ね合わせ、その部分をボルトにて前記パネル取付け枠鋼材及び前記ベース鋼材を貫通するようにして前記ボックスカルバートに固定する工程、該パネルと前記ボックスカルバートとの間にグラウト材を注入し硬化させる工程からなることを特徴とする下水管渠の内面更生工法。
【請求項２】
前記パネルが、ボックスカルバート側の面に、前記グラウト材に対するアンカー部を有するものからなることを特徴とする請求項１に記載の下水管渠の内面更生工法。
【請求項３】
下水管渠のボックスカルバートの内面にベース鋼材を配置する工程、該ベース鋼材に、前記ボックスカルバートの長手方向の所定間隔毎に、周方向に沿って、断面形状が略Ｃ字状をなし、両立ち上がり部の上端より内側に屈曲する係合部を有しており、その長手方向に凹溝を有するパネル取付け枠鋼材を該凹溝が内方を向くように取り付ける工程、パネル本体の裏面の両端部に該パネル本体の中央側に屈曲する前記パネル取付け枠鋼材の係合部に係止する係止部を有するパネルを、隣接する前記パネル取付け枠鋼材にまたがらせ、前記パネル間に弾性材からなる目地シール材を前記パネル取付け枠鋼材の凹溝内にて隣接するパネルの端部間に挿入することにより、その係止部を前記パネル取付け枠鋼材の係合部に係止させるように接続して、その目地シール材によりパネル間のシールと固定を行う工程、該パネルと前記ボックスカルバートとの間にグラウト材を注入し硬化させる工程からなることを特徴とする下水管渠の内面更生工法。
【請求項４】
前記パネルが、ガラス長繊維強化硬質ウレタン発泡体からなるパネル本体の表面に、耐摩耗性材が被覆されたものからなることを特徴とする請求項１〜請求項３のいずれか１項に記載の下水管渠の内面更生工法。
【請求項５】
前記パネルが、両端部に前記パネル取付け枠鋼材への係止部を有するものからなる請求項１〜請求項４のいずれか１項に記載の下水管渠の内面更生工法。
【発明の詳細な説明】
【０００１】
【発明の属する技術分野】
本発明は、下水管渠の内面更生工法に関するものである。
【０００２】
【従来の技術】
下水管渠のコンクリート製のボックスカルバートは、長期間使用していると、汚水及び腐食性のガス等が作用して内面がボロボロに劣化して老朽化してしまい、又、内面のレベルもがたがたとなってしまうという問題がある。
【０００３】
従来、このように老朽化した下水管渠のボックスカルバートの更生方法としては、ボックスカルバートの内面にベース鋼材を固定し、そのベース鋼材に直接．パネルを取り付け、そのパネルとボックスカルバートとの間にグラウト材を注入し硬化させるようにしていた。
しかしながら、この方法では、パネルをベース鋼材に取り付けにくく、又、パネルの内面のレベル出しが難しかった。
【０００４】
【発明が解決しようとする課題】
本発明は、パネルの取り付けが容易でそれらの内面のレベルも合わせ易い下水管渠の内面更生工法を提供することを目的としてなされたものである。
【０００５】
【課題を解決するための手段】
本願の請求項１に記載の発明（本発明１）は、下水管渠のボックスカルバートの内面にベース鋼材を配置する工程、該ベース鋼材に、前記ボックスカルバートの長手方向の所定間隔毎に、周方向に沿って、その長手方向に凹溝を有するパネル取付け枠鋼材を該凹溝が内方を向くように取り付ける工程、隣接する前記パネル取付け枠鋼材にまたがるように、パネル本体の裏面の両端部に接続部が設けられ、一方の接続部は側方に突出する係止部を有し、他方の接続部は一方の接続部の係止部を係止する係合部を有しているパネルを、前記凹溝内において、隣接するパネルの接続部同士を係止部に係合部に係止させるようにして重ね合わせ、その部分をボルトにて前記パネル取付け枠鋼材及び前記ベース鋼材を貫通するようにして前記ボックスカルバートに固定する工程、該パネルと前記ボックスカルバートとの間にグラウト材を注入し硬化させる工程からなる下水管渠の内面更生工法である。
【０００６】
本願の請求項２に記載の発明（本発明２）は、前記パネルが、ボックスカルバート側の面に、前記グラウト材に対するアンカー部を有するものからなる本発明１に記載の下水管渠の内面更生工法である。
【０００７】
本願の請求項３に記載の発明（本発明３）は、下水管渠のボックスカルバートの内面にベース鋼材を配置する工程、該ベース鋼材に、前記ボックスカルバートの長手方向の所定間隔毎に、周方向に沿って、断面形状が略Ｃ字状をなし、両立ち上がり部の上端より内側に屈曲する係合部を有しており、その長手方向に凹溝を有するパネル取付け枠鋼材を該凹溝が内方を向くように取り付ける工程、パネル本体の裏面の両端部に該パネル本体の中央側に屈曲する前記パネル取付け枠鋼材の係合部に係止する係止部を有するパネルを、隣接する前記パネル取付け枠鋼材にまたがらせ、前記パネル間に弾性材からなる目地シール材を前記パネル取付け枠鋼材の凹溝内にて隣接するパネルの端部間に挿入することにより、その係止部を前記パネル取付け枠鋼材の係合部に係止させるように接続して、その目地シール材によりパネル間のシールと固定を行う工程、該パネルと前記ボックスカルバートとの間にグラウト材を注入し硬化させる工程からなる下水管渠の内面更生工法である。
【０００８】
本願の請求項４に記載の発明（本発明４）は、前記パネルが、ガラス長繊維強化硬質ウレタン発泡体からなるパネル本体の表面に、耐摩耗性材が被覆されたものからなる本発明１〜本発明３のいずれかに記載の下水管渠の内面更生工法である。
【０００９】
本願の請求項５に記載の発明（本発明５）は、  前記パネルが、両端部に前記パネル取付け枠鋼材への係止部を有するものからなる本発明１〜本発明４のいずれかに記載の下水管渠の内面更生工法である。
【００１０】
本発明４において、耐摩耗性材としては、例えば、超高分子量ポリエチレン、モノマーキャスティングナイロン（ＭＣナイロン）等が挙げられる。
【００１１】
【作用】
本発明の下水管渠の内面更生工法は、上記のとおりの構成とされていることにより、隣接するパネル取付け枠鋼材にまたがるようにパネルを取り付けることができるので、パネルの取り付けが容易であり、又、それらの内面のレベルも合わせ易い。
【００１２】
前記パネルが、ボックスカルバート側の面に、前記グラウト材に対するアンカー部を有するものからなると、パネルとボックスカルバートとの間にグラウト材を注入し硬化させたときに、グラウト材からなる層中に、アンカー部が埋設されてそのアンカー効果により、パネルの剥がれ落ちが発生することがない。
【００１３】
前記パネル間に弾性材からなる目地シール材が打ち込まれて、その目地シール材によりパネル間のシールと固定を行うと、隣接するパネルの端部をパネル取付け枠鋼材２０に接続するとともに、その端部間をシールすることができる。
【００１４】
前記パネルが、ガラス長繊維強化硬質ウレタン発泡体からなるパネル本体の表面に、耐摩耗性材が被覆されたものからなると、軽量であるので施工が容易であり、且つ、表面の体摩耗性に優れているので、耐久性に優れた内表面を形成することができる。
【００１５】
前記パネルが、両端部に前記パネル取付け枠鋼材への係止部を有するものからなると、パネルをその係止部を利用してパネル取付け枠鋼材へ取り付けることができるので施工がより容易である。
【００１６】
【発明の実施の形態】
以下、本発明の実施の形態を図面を参照して説明する。
図１は、本発明の下水管渠の内面更生工法の一例の工程の説明図である。
まず、第１工程において、図１（ａ）に示すように、下水管渠のボックスカルバート１１の内面に、長手方向に沿うように複数本のベース鋼材１２を所定間隔毎に配置する。
【００１７】
第２工程において、図１（ｂ）に示すように、ベース鋼材１２に、ボックスカルバート１１の長手方向の所定間隔毎に、周方向に沿って、その長手方向に凹溝１３１を有するパネル取付け枠鋼材１３を凹溝１３１が内方を向くようにて、ボルト１４にてベース鋼材１２とともにボックスカルバート１１に固定する。
【００１８】
第３工程において、図１（ｃ）に示すように、隣接するパネル取付け枠鋼材１３にまたがるようにパネル１５を配置する。
パネル１５は、図２にも示すように、ガラス長繊維強化硬質ウレタン発泡体からなるパネル本体１５１の表面から側面にかけて、耐摩耗性材１５２が被覆され、パネル本体１５１の裏面の両端部に接続部１５３，１５４が設けられている。一方の接続部１５３は、側方に突出する係止部１５３ａを有しており、他方の接続部１５４は、一方の接続部１５３の係止部１５３ａを係止する係合部１５４ａを有している。
【００１９】
パネル取付け枠鋼材１３の凹溝１３１内において、隣接するパネル１５，１５の接続部１５３，１５４同士を、係止部１５３ａを係合部１５４ａに係止させるようにして重ね合わせ、その部分をボルト１６にて、パネル取付け枠鋼材１３及びベース鋼材１２を貫通するようにしてボックスカルバート１１に固定する。
【００２０】
最後に、第４工程において、図１（ｄ）に示すように、パネル１５，１５とボックスカルバート１１との間にグラウト材１７を注入し硬化させて、下水管渠のボックスカルバート１１の内面の更生を終了する。
【００２１】
図３は、本発明に使用されるパネルの別の例を示す断面図である。
図３に示すように、このパネル１８は、ボックスカルバート側となる面に、つまり、パネル本体１８１の裏面にグラウト材１７に対するアンカー部１８２を有している。その他の構造は図２を参照して説明したものと同じであるので、対応すに符号を付してその詳細な説明は省略する。
このパネル１８を用いた場合には、図４に示すように、最終工程において、パネル１８，１８とボックスカルバート１１との間にグラウト材１７を注入し硬化させたときに、グラウト材１１７からなる層中に、アンカー部１８２が埋設されてそのアンカー効果により、パネル１８，１８の剥がれ落ちが発生することがない。
【００２２】
図５は、本発明の下水管渠の内面更生工法の別の例を示す説明図である。
この例に使用されるパネル１９は、パネル本体１９１の表面から側面にかけて耐摩耗性材１９２が被覆され、裏面の両端部に、パネル本体１９１の中央側に曲折する、パネル取付け枠鋼材２０への係止部１９３ａ，１９３ａを有する接続部１９３，１９３が設けられ、パネル本体１９１の裏面に中央側にアンカー部１９４が設けられたものからなる。両端面は、その厚さ方向の中間部が側方に山状に膨出した形状となされている。
【００２３】
このパネル１９を用いた場合には、図６に示すような、断面形状が略Ｃ字状をなすパネル取付け枠鋼材２０と弾性材からなる目地シール材２１が用いられる。パネル取付け枠鋼材２０は、両立ち上がり部２０１，２０１の上端より、内方に曲折する係合部１０２，１０２を有している。
目地シール材２１は、その両側面が、隣接するパネル１９，１９の相対する側面に対応するように形状となされ、変形自在な頭部２１１を有している。
【００２４】
そして、図６に示すように、目地シール材２１をパネル取付け枠鋼材２０の凹溝２０２内にて隣接するパネル１９、１９の端部間に挿入することにより、その係止部１９３ａ、１９３ａをパネル取付け枠鋼材２０の係合部２０３，２０３に係止させるようにして接続するとともに、隣接するパネル１９、１９の端部間をシールするようにして、隣接する前記パネル取付け枠鋼材にまたがるようにパネル１９，１９が取り付けられる。
その後の工程は、図１（ｄ）を参照して説明したのと同様である
【００２５】
【発明の効果】
本発明の下水管渠の内面更生工法は、上記のとおりとされているので、パネルの取り付けが容易でそれらの内面のレベルも合わせ易く、施工性に優れており、且つ、内面のレベルが良好な状態にてボックスカルバート内面の更生を行うことができる。
【図面の簡単な説明】
【図１】本発明の下水管渠の内面更生工法の一例の工程の説明図であり、（ａ）はその第１工程を説明する断面図、（ｂ）はその第２工程を説明する断面図、（ｃ）はその第３工程を説明する断面図、（ｄ）はその第４工程を説明する断面図である。
【図２】本発明に用いられるパネルの一例を示す断面図である。
【図３】本発明に用いられるパネルの別の例を示す断面図である。
【図４】図３に示すパネルを用いた、本発明の下水管渠の内面更生工法の別の例の工程を説明する断面図である。
【図５】本発明に用いられるパネルの更に別の例を示す断面図である。
【図６】図５に示すパネルを用いた、本発明の下水管渠の内面更生工法の更に別の例の工程を説明する断面図である。
【符号の説明】
１１  ボックスカルバート
１２  ベース鋼材
１３  パネル取付け枠鋼材
１５，１８，１９  パネル
１７  グラウト材
２１  目地シール材
１３１  凹溝
１５２  耐摩耗性材
１５３ａ  係止部
１８２  アンカー部
１９１  パネル本体
１９３ａ  係止部
【図１】
0003607091.tif 000002
【図２】
0003607091.tif 000003
【図３】
0003607091.tif 000004
【図４】
0003607091.tif 000005
【図５】
0003607091.tif 000006
【図６】
0003607091.tif 000007